(57)【特許請求の範囲】
【請求項１】
内部に焙焼室が形成されて該焙焼室の前面開口部に開閉扉が設けられた本体を有し、補助部品として、受皿を備えると共に、前記本体の底面に受皿止め及び受皿抜け止めを有する前記受皿の収納支持片を備え、前記受け皿の受皿止めを前記収納支持片の後部に設け、前記受け皿の受皿抜け止めを前記収納支持片の収納支持部に設けたオーブントースターであって、
前記収納支持片を金属板によって構成すると共に、前記受皿抜け止めを、前記収納支持片に切欠いた弾性片に形成された突設部により構成し、該突設部が前記受皿を押圧するように構成したことを特徴とするオーブントースター。
【請求項２】
内部に焙焼室が形成されて該焙焼室の前面開口部に開閉扉が設けられた本体を有し、補助部品として、受皿を備えると共に、前記本体の底面に受皿止め及び受皿抜け止めを有する前記受皿の収納支持片を備え、前記受け皿の受皿止めを前記収納支持片の後部に設け、前記受け皿の受皿抜け止めを前記収納支持片の収納支持部に設けたオーブントースターであって、
前記収納支持片を棒材によって構成すると共に、前記受け皿抜け止めを、弾性を有する棒材の一部に設けられ前記受け皿と当接して該受け皿を押圧するく字状の突設部により構成したことを特徴とするオーブントースター。
【請求項３】
前記収納支持片を底部、側部及び取付部から構成し、該収納支持片の前記底部及び側部の両者またはいずれか一方の内側に前記受皿抜け止めを設けると共に、前記底部または側部の後部に前記受皿止めを設けたことを特徴とする請求項１または２記載のオーブントースター。
【請求項４】
底面に凹部を有する前記受皿を備え、前記収納支持片の前記受皿凹部の段差部に対応する部位に前記受皿抜け止めを設けたことを特徴とする請求項１，２，３のいずれかに記載のオーブントースター。
【発明の詳細な説明】
【０００１】
【発明の属する技術分野】
本発明は、オーブントースターに係り、より詳しくは、本体に収納した受皿が落下せず、また、ほこりや汚れが付かないオーブントースターに関するものである。
【０００２】
【従来の技術】
図１２は、例えば実開昭５８ー３９４０８号公報に開示された従来の調理器の一例を示す斜視図である。図に示すように、この調理器は、底面３１に脚部３２が設けられ内部に焙焼室が形成されて、焙焼室の前面開口部に開閉扉を枢設した調理器本体３０を有し、調理用補助部品として受皿３４を備えたもので、調理器本体３０の底面の両側部に収納支持片３３を突設して、この収納支持片３３に受皿３４を支持させて収納するようにしたものである。
【０００３】
【発明が解決しようとする課題】
上記のように構成した調理器によれば、移動時や清掃時に調理器本体３０を傾けたときに受皿３４が落下する場合があり、また、受皿３４を奥に入れすぎると調理器本体３０からはみ出てしまい、ほこり等で汚れてしまうことがある。
【０００４】
本発明は上記のような課題を解決するためになされたもので、本体を傾けても容易に受皿が落下せず、収納時にほこり等で汚れることがないオーブントースターを得ることを目的とする。
【０００５】
【課題を解決するための手段】
本発明は、内部に焙焼室が形成されて焙焼室の前面開口部に開閉扉が設けられた本体を有し、補助部品として、受皿を備えると共に、本体の底面に受皿止め及び受皿抜け止めを有する受皿の収納支持片を備え、受け皿の受皿止めを収納支持片の後部に設け、受け皿の受皿抜け止めを収納支持片の収納支持部に設けたオーブントースターであって、収納支持片を金属板によって構成すると共に、受皿抜け止めを、収納支持片に切欠いた弾性片に形成された突設部により構成し、突設部が受皿を押圧するように構成した。
【０００６】
また、本発明は、内部に焙焼室が形成されて焙焼室の前面開口部に開閉扉が設けられた本体を有し、補助部品として、受皿を備えると共に、本体の底面に受皿止め及び受皿抜け止めを有する受皿の収納支持片を備え、受け皿の受皿止めを収納支持片の後部に設けると共に、受け皿の受皿抜け止めを収納支持片の収納支持部に設けたオーブントースターであって、収納支持片を棒材によって構成すると共に、受け皿抜け止めを、弾性を有する棒材の一部に設けられ受け皿と当接して受け皿を押圧するく字状の突設部により構成した。
【０００７】
さらに、本発明は、収納支持片を底部、側部及び取付部から構成し、収納支持片の底部及び側部の両者またはいずれか一方の内側に受皿抜け止めを設けると共に、底部または側部の後部に受皿止めを設けた。
また、本発明は、底面に凹部を有する受皿を備え、収納支持片の受皿凹部の段差部に対応する部位に受皿抜け止めを設けた。
【０００８】
【発明の実施の形態】
［実施の形態１］
図１は本発明の実施の形態１の正面図、図２は図１の要部の側断面図、図３（ａ）は図１の要部の平面図、（ｂ）はそのＡーＡ断面図である。１は内部に焙焼室を有するオーブントースターの本体、２は焙焼室の前面開口部に開閉自在に取り付けた開閉扉、３は本体１の前面に引き出し可能に設けたスライド式のくず受皿、４は本体底板１ａ下面の四隅に設けた脚部である。
５は本体底板１ａの下部に収容された調理用補助部品である受皿である。６は本体底板１ａ下面の両側部に取付けられ、受皿５を両側より支持して収納する収納支持片である。
【０００９】
次に、図３を用いて収納支持片６を詳述する。収納支持片６は一枚の横長の金属板の中央の立設面の両側を長手方向に沿う２つのほぼ平行な線に沿って互いに反対方向にほぼ直角に折り曲げて形成したもので、中央の立設面によって側部支持面７を形成し、両側の折曲げ部によって底部支持面８と取付面９を形成したもので、側部支持面７と底部支持面８とにより受皿５の収納支持部を構成する。１０は収納支持片６の底部支持面８の一端を上方にほぼ直角に折り曲げて形成した平面状の受皿止めである。なお、この受皿止め１０は、側部支持面７の一端を底部支持面８側にほぼ直角に折り曲げて形成してもよい。
【００１０】
１１は底部支持面８の内面側、すなわち上面側において受皿止め１０の近傍に突設したほぼ直方体状の受皿抜け止めである。
上記のように構成した一対の収納支持片６は、図１に示すように、本体底板１ａ下面の両側部にそれぞれの側部支持面７が向い合うようにしてほぼ平行に配設し、取付面９を本体底面１ａにねじ１２によって取り付ける。
【００１１】
上記のように構成した実施の形態１の作用を説明する。受皿５を収納支持片６の底部支持面８に沿って本体１の前側から押し込むと、受皿５は側部支持面７によって側部方向への移動を規制されつつ滑動し、受皿抜け止め１１によって上方向、すなわち本体底面１ａ側に押され、この状態でさらに押し込むと、受皿５の端部が受皿止め１０に当接して停止する。こうして、図２に示すように、受皿止め１０側の受皿５の上部が本体底面１ａ側に押し付けられて、受皿５が本体底板１ａと底部支持面８との間に傾斜するような形で挟まれる。
実施の形態１によれば、本体１を前方または後方に傾けても受皿５が収納支持片６から落下することがなく、安全である。また、受皿５が本体１よりも後方に移動できないので、受皿５にほこり等の汚れが付かない。
【００１２】
［実施の形態２］
実施の形態１では、収納支持片６の底部支持面８の内面側に受皿抜け止め１１を突設したが、実施の形態２では、収納支持片６の側部支持面７の内面側、または底部支持面８と側部支持面７の両方の内面側に、受皿抜け止めを突設したものである（図示せず）。
実施の形態２の作用、効果は実施の形態１の場合と実質的に同様であるが、底部支持面８と側部支持面７の両方の内面側に受皿抜け止めを設けたときは、受皿５の落下をより確実に防止できる。
【００１３】
［実施の形態３］
実施の形態１では、収納支持片６の底部支持面８に受皿止め１０を設け、かつ、底部支持面８の内面側に受皿抜け止め１１を突設したが、実施の形態３では、受皿止め１０を省略し、底部支持面８または側部支持面７の両者またはいずれか一方に受皿抜け止め１１を設けたものである（図示せず）。
実施の形態３によれば、本体１を前方または後方に傾けても受皿５が収納支持片６より落下することがなく、安全である。なお、底部支持面８と側部支持面７の両方の内面側に受皿抜け止めを設けたときは、受皿５の落下をより確実に防止できる。
【００１４】
［実施の形態４］
実施の形態１では、収納支持片６の底部支持面８に受皿止め１０を設け、かつ、底部支持面８の内面側に受皿抜け止め１１を設けたが、実施の形態４では、受皿抜け止め１１を省略し、底部支持面８または側部支持面７に受皿止め１０を設けたものである（図示せず）。
実施の形態５によれば、受皿５が本体１よりも後方に移動できないので、受皿５にほこり等の汚れが付かない。
【００１５】
［実施の形態５］
図４は本発明の実施の形態５の正面図、図５（ａ）は図４の要部の平面図、（ｂ）はそのＢーＢ断面図、（Ｃ）は正面図である。なお、その構成は実施の形態１と似ているので、実施の形態１の図１、図３と同一の部分には同じ符号を付し、説明を省略する。２１は収納支持片６の側部支持面７の前部側に設けたコ字状の切欠部で、内部に弾性片２２が形成されている。１１は弾性片２２の内面側に突設した四角台形状の受皿抜け止めで、受皿５が収納支持片６に収納されて受皿５の側部が受皿抜け止め１１に当接したときに、弾性片２２が受皿５を押圧するようにしてある。
【００１６】
上記のように構成した実施の形態５において、受皿５を収納支持片６の底部支持面８に沿って本体１に差し込むと、受皿５は底部支持面６に沿って滑動し、受皿５の側部が受皿抜け止め１１に当ると、弾性片２２は図５（ｂ）に破線で示すように弾性変形し、受皿５はその弾性力で押圧され、この状態で受皿５先端部が受皿止め１０に当接して停止する。
実施の形態５によれば、弾性片２２の弾性力によって受皿抜け止め１１による受皿５の収納支持がより確実になり、本体１を前方または後方に傾けたときに、受皿５が収納支持片６から落下することがなく、安全である。また、受皿５が本体１よりも後方に移動できないので、受皿５にほこり等の汚れが付かない。
【００１７】
［実施の形態６］
実施の形態５では、収納支持片６の側部支持面７に切欠部２１を設けて弾性片２２を形成し、弾性片２２の内面に受皿抜け止め１１を設けたが、実施の形態６では、収納支持片６の底部支持面８に切欠部を設けて弾性片を形成し、弾性片の内面に受皿抜け止め１１を設けた（図示せず）。
実施の形態６の作用、効果は実施の形態５の場合と実質的に同様なので、説明を省略する。
【００１８】
［実施の形態７］
図６は本発明の実施の形態７の正面図、図７は図６の要部の側断面図、図８（ａ）は図６の要部の正面図、（ｂ）は側面図、（Ｃ）は平面図である。実施の形態１では金属板を折り曲げて収納支持片６を形成したが、実施の形態７では棒材（線材）を組合わせて収納支持片６ａを形成したものである。なお、実施の形態１と同一の部分には同じ符号を付し、説明を省略する。
【００１９】
６ａは複数本の棒材を折り曲げて組み合わせた収納支持片で、図８に示すように、前底棒１３及び後底棒１４を平行に配設し、これらに直交させてほぼＪ字状の第１の底棒１５及び第２の底棒１６を平行に配設して接合し、収納支持片６ａの底部を形成する。また、第１、第２の底棒１５，１６の両側に、収納支持片６ａの側部を構成する第１の側棒１７及び第２の側棒１８を配設して接合し、収納支持片６ａの側部を形成する。なお、これら棒材は、溶接又は接着剤によって接合する。
【００２０】
このような収納支持片６ａの構成を以下に詳述する。まず、前底棒１３及び後底棒１４は、それぞれ、直線状の棒材の両端部を直線部１３ａ，１４ａに対して鈍角をなすように折り曲げて折曲部１３ｂ，１４ｂを形成し、さらにその先端部を直線部１３ａ，１４ａとほぼ平行に外方に折り曲げて係止部１３ｃ，１４ｃを形成したものである。
【００２１】
また、第１の底棒１５及び第２の底棒１６は、それぞれ直線状の棒材をほぼＪ字状に折り曲げて、それぞれの長腕部１５ａ，１６ａと短腕部１５ｂ，１６ｂがほぼ平行になるようにし、さらにそれぞれの長腕部１５ａ，１６ａの先端部を、長腕部１５ａ，１６ａと短腕部１５ｂ，１６ｂによって形成される平面に対してほぼ直交するように折り曲げて受皿止め１５ｃ，１６ｃを形成したものである。また、それぞれの長腕部１５ａ，１６ａの受皿止め１５ｃ，１６ｃ側に、上側に向くようにしてほぼ山型状に突設した受皿抜け止め１９，２０を設けてある。
さらに、側部に設けた第１の側棒１７、第２の側棒１８は、第１、第２の底棒１３，１４の配置間隔とほぼ等しい長さに形成した直線状の棒材によって構成してある。
【００２２】
これらの各棒材において、まず、前底棒１３及び後底棒１４を、それぞれの折曲部１３ｂ，１４ｂ及び係止部１３ｃ，１４ｃが同方向（上方）に向くようにしてほぼ平行に配設し、第１の側棒１７及び第２の側棒１８をこれらにほぼ直交させてその両端部をそれぞれ前底棒１３及び後底棒１４の各折曲部１３ｂ，１４ｂの内側上部に配設して接合する。
【００２３】
さらに、第１の底棒１５及び第２の底棒１６をそれぞれ前底棒１３及び後底棒１４とほぼ直交させて配設する。この際、第１、第２の底棒１５，１６のそれぞれの短腕部１５ｂ，１６ｂが前底棒１３及び後底棒１４のそれぞれの折曲部１３ｂ，１４ｂ側に位置するようにし、かつ短腕部１５ｂ，１６ｂの各先端部１５ｅ，１６ｅが後底棒１４の棒上に位置するようにして、前底棒１３及び後底棒１４と第１の底棒１５及び第２の底棒１６とを接合する。
そして、図６、図７に示すように、収納支持片６ａの受皿止め１５ｃ，１６ｃを本体１の後側に位置させ、前底棒１３及び後底棒１４の係止部１３ｃ，１４ｃを本体底面１ａに係止して取り付ける。
【００２４】
上記のように構成した実施の形態７において、受皿５を収納支持片６ａの前側から押し込むと、受皿５は第１、第２の側棒１７，１８によって側部方向への移動を規制されつつ、第１、第２の底棒１５，１６に沿って滑動する。そして、受皿５はその底面が受皿抜け止め１９，２０によって上方向、すなわち本体底面１ａ側に押され、この状態で受皿５の端部が受皿止め１５ｃ，１６ｃに当接して停止する。こうして、受皿５は、受皿止め１５ｃ，１６ｃ側の受皿５上部が本体底面１ａに押し付けられた形になって、本体底面１ａと受皿抜け止め１５ｃ，１６ｃとの間に傾斜するような形で挟まれて保持される。
【００２５】
実施の形態７によれば、本体１を前方または後方に傾けたときに受皿５が収納支持片６ａから落下することがなく、安全である。また、受皿５が本体１よりも後方に移動できないので、ほこり等の汚れが付かない。
なお、上記の説明では、第１、第２の底棒１５，１６の長腕部１５ａ，１６ａの棒上に山型状の受皿抜け止め１９，２０を取り付けた場合を示したが、長腕部１５ａ，１６ａ自体をほぼへ状に折曲げて受皿抜け止め１９，２０を形成してもよい。
【００２６】
［実施の形態８］
図９は本発明の実施の形態８の要部の側断面図である。なお、実施の形態７で示した図７と同一部分には同じ符号を付し、説明を省略する。５は受皿で、５ａは熱変形を防止するために受皿５の底面に逆凹部形状に形成した底面凹部である。
１９（２０）は収納支持片６ａの第１、第２の底棒１５（１６）の各長腕部１５ａ（１６ａ）に設けた受皿抜け止めで、各長腕部１５ａ（１６ａ）を上部方向にほぼへ字状に折り曲げて形成してあり、受皿５が収納支持片６ａに収納されたときに、受皿５の底面凹部５ａの後側の段差部５ｂに対応する位置に設けてある。
【００２７】
上記のように構成した実施の形態８において、受皿５を収納支持片６ａの前側から押し込み、受皿５が受皿止め１５ｃ（１６ｃ）に当接すると、受皿５の移動が停止し、同時に、受皿抜け止め１９（２０）が受皿５の底面凹部５ａの後側の段差部５ｂに係止する。
実施の形態８によれば、本体１を前方または後方に傾けても受皿５が収納支持片６ａから落下することがなく、安全である。また、受皿５が本体１よりも前方または後方に移動できないので、ほこり等の汚れが付かない。さらに、収納時、受皿５に応力が掛からないので、受皿５の底面が変形しない。
【００２８】
［実施の形態９］
図１０は本発明の実施の形態９の正面図、図１１（ａ）は図１０の要部の正面図、（ｂ）は側面図、（Ｃ）は平面図である。実施の形態５，６では収納支持片６の平面上に弾性片２２を形成してこれに受皿抜け止め１１を設けた場合を示したが、実施の形態９では、棒材で形成した収納支持片６ａの少なくとも第１、第２の側棒１７ａ，１８ａを弾性を有する棒材で形成し、これに直接受皿抜け止め１９ａ，２０ａを設けたものである。なお、その構成は実施の形態７と似ているので、実施の形態７の図７、図８と同一の部分には同じ符号を付し、説明を省略する。
【００２９】
１７ａ，１８ａは前底棒１３と後底棒１４の間隔と等しい長さに形成した第１、第２の側棒で、それぞれの棒材の途上をく字状に折り曲げて受皿抜け止め１９ａ，２０ａを形成してある。そして、受皿抜け止め１９ａ，２０ａの各突設部が対向するように配設して前底棒１３及び後底棒１４に接合し、受皿抜け止め１９ａ，２０ａを含む第１、第２の側棒１７ａ，１８ａによりそれぞれの両端部を固定支点とした弾性片を構成し、受皿５が収納支持片６ａに収納されて受皿５の側部が受皿抜け止め１９ａ，２０ａに当接したときに、第１、第２の側棒１７ａ，１８ａ全体が弾性体となって受皿５を押圧するようにしてある。
【００３０】
上記のように構成した実施の形態９において、受皿５を収納支持片６ａの第１、第２の底棒１５，１６に沿って本体１に押し込むと、受皿５は第１、第２の底棒１５，１６に沿って滑動し、受皿５の側部は受皿抜け止め１９ａ，２０ａによって挾まれ、受皿抜け止め１９ａ，２０ａを外側に押すが、第１、第２の側棒１７ａ，１８ａの持つ弾性力によって内側に押圧され、この状態で受皿５端部が受皿止め１５ｃ，１６ｃに当接して停止する。
実施の形態９によれば、第１、第２の側棒１７ａ，１８ａの弾性力によって受皿抜け止め１９ａ，２０ａによる受皿５の収納支持がより確実になり、本体１を前方または後方に傾けても受皿５が収納支持片６から落下することがなく、安全である。また、受皿５が本体１よりも前方または後方に移動できないので、ほこり等の汚れが付かない。
【００３１】
【発明の効果】
以上の説明から明らかなように、本発明は、内部に焙焼室が形成されて焙焼室の前面開口部に開閉扉が設けられた本体を有し、補助部品として、受皿を備えると共に、本体の底面に受皿止め及び受皿抜け止めを有する受皿の収納支持片を備え、受け皿の受皿止めを収納支持片の後部に設け、受け皿の受皿抜け止めを収納支持片の収納支持部に設けたオーブントースターであって、収納支持片を金属板によって構成すると共に、受皿抜け止めを、収納支持片に切欠いた弾性片に形成された突設部により構成し、突設部が受皿を押圧するように構成したので、弾性切欠片に取り付けられた突設部よりなる受け皿抜け止めにより受皿の収納支持が確実になり、本体を傾けても収納支持片から受皿が落下せず、安全であり、収納時にほこり等で汚れることがない。
【００３２】
また、本発明は、内部に焙焼室が形成されて焙焼室の前面開口部に開閉扉が設けられた本体を有し、補助部品として、受皿を備えると共に、本体の底面に受皿止め及び受皿抜け止めを有する受皿の収納支持片を備え、受け皿の受皿止めを収納支持片の後部に設け、受け皿の受皿抜け止めを収納支持片の収納支持部に設けたオーブントースターであって、収納支持片を棒材によって構成すると共に、受け皿抜け止めを、弾性を有する棒材の一部に設けられ受け皿と当接して受け皿を押圧するく字状の突設部により構成したので、弾性を有するく字状の突設部よりなる受け皿抜け止めにより受皿の収納支持が確実になり、本体を傾けても収納支持片から受皿が落下せず、安全であり、収納時にほこり等で汚れることがない。
【００３３】
さらに、本発明は、収納支持片を底部、側部及び取付部から構成し、収納支持片の底部及び側部の両者またはいずれか一方の内側に受皿抜け止めを設けると共に、底部または側部の後部に受皿止めを設けたので、本体を前方または後方に傾けても収納支持片から受皿が落下せず、安全であり、また、受皿が本体よりも前方または後方に移動できないので、ほこり等の汚れが付かない。
また、本発明は、底面に凹部を有する受皿を備え、収納支持片の受皿凹部の段差部に対応する部位に受皿抜け止めを設けたので、受け皿の収納時に本体を傾けても収納支持片から受皿が落下せず、またほこりが付くこともない。さらに受皿の収納時に受皿に応力が掛からないので受皿の底面が変形することがない。
【図面の簡単な説明】
【図１】  本発明の実施の形態１の正面図である。
【図２】  図１の要部の側断面図である。
【図３】  図１の要部の平面図及びそのＡーＡ断面図である。
【図４】  本発明の実施の形態５の正面図である。
【図５】  図４の要部の平面図、そのＢーＢ断面図及び正面図である。
【図６】  本発明の実施の形態７の正面図である。
【図７】  本発明の実施の形態７の要部の側断面図である。
【図８】  図６の要部の正面図、側面図及び平面図である。
【図９】  本発明の実施の形態８の要部の側断面図である。
【図１０】  本発明の実施の形態９の正面図である。
【図１１】  図１０の要部の正面図、側面図及び平面図である。
【図１２】  従来の調理器の一例を示す斜視図である。
【符号の説明】
１  本体、１ａ  本体底板、２  開閉扉、４  脚部、５  受皿、５ａ  受皿の底面凹部、５ｂ  段差部、６，６ａ  収納支持片、７  側部支持面、８  底部支持面、１０，１５ｃ，１６ｃ  受皿止め、１１，１９，１９ａ，２０，２０ａ  受皿抜け止め、１３  前底棒、１４  後底棒、１７，１７ａ  第１の側棒、１８，１８ａ  第２の側棒、２１  切欠部、２２  弾性片。
【図１】
0003766924.tif 000002
【図２】
0003766924.tif 000003
【図３】
0003766924.tif 000004
【図４】
0003766924.tif 000005
【図５】
0003766924.tif 000006
【図６】
0003766924.tif 000007
【図７】
0003766924.tif 000008
【図８】
0003766924.tif 000009
【図９】
0003766924.tif 000010
【図１０】
0003766924.tif 000011
【図１１】
0003766924.tif 000012
【図１２】
0003766924.tif 000013